(57)【特許請求の範囲】
【請求項１】
透液性表面シートと不透液性裏面シートとの間に吸収体が介在された吸収性物品において、
前記吸収体の非肌当接面側に前記吸収性物品の長手方向に沿って断続的な凹状溝が形成されるとともに、前記凹状溝の周辺に位置する吸収体に前記吸収性物品の長手方向に間隔を空けて横長の周辺エンボスが複数形成され、且つ少なくとも前記凹状溝間に吸収体欠損部が形成されていることを特徴とする吸収性物品。
【請求項２】
前記吸収性物品の少なくとも後方中央部分に、前記吸収性物品の長手方向に延びるとともに、肌当接面側に隆起する吸収体中高部を有し、前記吸収体中高部に対応する吸収体の非肌当接面側に前記吸収性物品の長手方向に沿って断続的な凹状溝が形成されるとともに、前記吸収体中高部の周辺に位置する吸収体に前記吸収性物品の長手方向に間隔を空けて横長の周辺エンボスが複数形成され、且つ前記吸収体中高部に対応する吸収体の少なくとも前記凹状溝間に吸収体欠損部が形成されている請求項１記載の吸収性物品。
【請求項３】
装着者の臀部に対応する領域の前記吸収体の肌当接面側に前記吸収性物品の略長手方向に沿って左右一対の後方部エンボスが形成されるとともに、前記吸収体欠損部に対応する位置に前記後方部エンボスから前記吸収性物品の幅方向中央部側へ延びるフィットエンボスが形成されている請求項１、２いずれかに記載の吸収性物品。
【請求項４】
前記吸収体欠損部は、方形状、菱形形状、くさび形状、三角形状のいずれかである請求項１〜３いずれかに記載の吸収性物品。
【請求項５】
前記吸収体欠損部は、吸収体の厚み方向に形状を変化させた立体的形状である請求項１〜４いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、臀部の谷間への密着性を向上させ、後漏れを防止した吸収性物品に関する。
【背景技術】
【０００２】
従来より、パンティライナー、生理用ナプキン、おりものシート、失禁パッド、トイレタリーなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、体液漏れを防止するための手段が種々講じられている。特に、夜用ナプキンなどの漏れの原因の一つとして、ナプキンと臀部の谷間との間に隙間が生じることによる伝い漏れがある。
【０００４】
このため従来より、後方部において臀部の谷間にフィットさせるようにしたものが開発されている。例えば、下記特許文献１には、吸収部の後方部に、肌当接面側へ隆起した隆起部を備え、該隆起部に対応する吸収部の非肌当接面側には、吸収性物品の幅方向中央において該吸収性物品の長手方向に延びる後方溝を備えた吸収性物品が開示されている。また、下記特許文献２には、吸収体の上面から吸収体の内部に向けて、吸収性物品の幅方向に向かう複数のエンボス溝が形成されており、上記吸収体が中高であり、この中高部分が上層と下層とからなる吸収性物品が開示されている。
【先行技術文献】
【特許文献】
【０００５】
【特許文献１】特許第３８５０１０３号
【特許文献２】特許第４１４５２８９号
【発明の概要】
【発明が解決しようとする課題】
【０００６】
上記特許文献１記載の吸収性物品においては、前記後方溝を可撓軸として機能させることにより、生理用ナプキンの装着時に吸収部の後方部分を逆Ｖ字状に変形させ、装着者の臀部に良好にフィットさせるようにするものである。
【０００７】
確かに、可撓軸として機能する前記後方溝を形成することにより、横断面方向の変形性能は向上するものの、前記後方溝は高密度に圧縮された直線状の凹状溝として形成されるものであるため、吸収性物品の長手方向への変形性能、すなわち横断方向を軸とする変形性能が逆に低下してしまい、ナプキン後方部分を臀部の丸みに沿って変形させることが困難となり、臀部との間に隙間が生じて後漏れを起こすおそれがあった。
【０００８】
一方、上記特許文献２記載の吸収性物品においては、前記エンボス溝を形成することにより、吸収体の長手方向に沿って複数の幅方向折れ線が形成されるため、吸収性物品の長手方向への変形性能が向上し容易に折れ曲がり、臀部の前後方向の丸みにフィットするようになるが、幅方向の折れ線が形成された吸収体の剛性が増して臀部の谷間の奥まで密着させることが困難となり、臀部の谷間との間に細い隙間が生じて後漏れを起こすおそれがあった。
【０００９】
そこで本発明の主たる課題は、臀部の谷間への密着性を向上させ、後漏れを防止した吸収性物品を提供することにある。
【課題を解決するための手段】
【００１０】
上記課題を解決するために請求項１に係る本発明として、透液性表面シートと不透液性裏面シートとの間に吸収体が介在された吸収性物品において、
前記吸収体の非肌当接面側に前記吸収性物品の長手方向に沿って断続的な凹状溝が形成されるとともに、前記凹状溝の周辺に位置する吸収体に前記吸収性物品の長手方向に間隔を空けて横長の周辺エンボスが複数形成され、且つ少なくとも前記凹状溝間に吸収体欠損部が形成されていることを特徴とする吸収性物品が提供される。
【００１１】
上記請求項１記載の発明では、吸収体の非肌当接面側に吸収性物品の長手方向に沿って断続的な凹状溝を形成することにより、前記凹状溝の形成列に沿う軸部分が他の部分よりも薄肉化され、剛性（断面二次モーメント）が低下するため、凹状溝の形成列を軸とする可撓軸（長手方向可撓軸）によって吸収性物品横断方向（吸収性物品幅方向）の臀部の谷間に沿って隆起する変形性能を確保することができる。さらに、前記凹状溝の周辺に位置する吸収体に前記吸収性物品の長手方向に間隔を空けて横長の周辺エンボスを複数形成することにより、凹状溝周辺の吸収体に吸収性物品横断面方向の曲げに対するコシを持たせ、凹状溝近傍の吸収体とその周辺の吸収体との間に剛性差を付与し、中央部分のみを臀部の谷間に沿って変形させる変形性能を確保している。
【００１２】
また、少なくとも前記凹状溝間に吸収体欠損部を形成することにより、臀部の谷間に沿った隆起部分を臀部の前後方向の丸みに沿って湾曲させた場合において、前記吸収体欠損部で吸収体の圧縮方向や引張方向の変形が吸収され、肌当接面側に幅方向のシワ入りが生じ難くなり、臀部の細い谷間の奥にまで良好に密着できるようになる。
【００１３】
従って、後方の幅方向中央部分が長手方向に沿って隆起しやすくなり、且つこの隆起部が臀部の前後方向の丸みに沿って湾曲しやすくなるため、臀部の谷間への密着性が向上し、後漏れが防止できる。
【００１４】
請求項２に係る本発明として、前記吸収性物品の少なくとも後方中央部分に、前記吸収性物品の長手方向に延びるとともに、肌当接面側に隆起する吸収体中高部を有し、前記吸収体中高部に対応する吸収体の非肌当接面側に前記吸収性物品の長手方向に沿って断続的な凹状溝が形成されるとともに、前記吸収体中高部の周辺に位置する吸収体に前記吸収性物品の長手方向に間隔を空けて横長の周辺エンボスが複数形成され、且つ前記吸収体中高部に対応する吸収体の少なくとも前記凹状溝間に吸収体欠損部が形成されている請求項１記載の吸収性物品が提供される。
【００１５】
上記請求項２記載の発明は、前記吸収性物品の少なくとも後方中央部分に、前記吸収性物品の長手方向に延びるとともに、肌当接面側に隆起する吸収体中高部を有する場合についての構成である。
【００１６】
請求項３に係る本発明として、装着者の臀部に対応する領域の前記吸収体の肌当接面側に前記吸収性物品の略長手方向に沿って左右一対の後方部エンボスが形成されるとともに、前記吸収体欠損部に対応する位置に前記後方部エンボスから前記吸収性物品の幅方向中央部側へ延びるフィットエンボスが形成されている請求項１、２いずれかに記載の吸収性物品が提供される。
【００１７】
上記請求項３記載の発明では、装着者の臀部に対応する領域の前記吸収体の肌当接面側に前記吸収性物品の略長手方向に沿って左右一対の後方部エンボスを形成するとともに、前記吸収体欠損部に対応する位置に前記後方部エンボスから前記吸収性物品の幅方向中央部側へ延びるフィットエンボスを形成することにより、前記フィットエンボスが基点となって確実に吸収体欠損部の形成位置で臀部の前後方向の丸みに沿って湾曲させることができるようになる。
【００１８】
請求項４に係る本発明として、前記吸収体欠損部は、方形状、菱形形状、くさび形状、三角形状のいずれかである請求項１〜３いずれかに記載の吸収性物品が提供される。
【００１９】
上記請求項４記載の発明は、吸収体欠損部の平面形状の具体例として、方形状、菱形形状、くさび形状、三角形状のいずれかとするものである。
【００２０】
請求項５に係る本発明として、前記吸収体欠損部は、吸収体の厚み方向に形状を変化させた立体的形状である請求項１〜４いずれかに記載の吸収性物品が提供される。
【００２１】
上記請求項５記載の発明では、吸収体欠損部を吸収体の厚み方向にその形状を変化させた立体的形状とすることにより、吸収性物品を臀部の前後方向の丸みに沿って湾曲させた場合に、肌当接面側が圧縮、非肌当接面側が引張となる変形を適度に吸収することができる。
【発明の効果】
【００２２】
以上詳説のとおり本発明によれば、臀部の谷間への密着性を向上させ、後漏れを防止した吸収性物品が提供できるようになる。
【図面の簡単な説明】
【００２３】
【図１】本発明に係る生理用ナプキン１の展開図である。
【図２】そのII−II線矢視図である。
【図３】図１のIII−III線矢視図である。
【図４】股間部構造を示す人体の下面図である。
【図５】吸収体欠損部２２の平面図である。
【図６】他の形態に係る吸収体欠損部２２の平面図及び断面図である。
【発明を実施するための形態】
【００２４】
以下、本発明の実施の形態について図面を参照しながら詳述する。
【００２５】
〔生理用ナプキン１の基本構造〕
本発明に係る生理用ナプキン１は、図１〜図３に示されるように、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために前記吸収体４を囲繞する被包シート５と、前記吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２６】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２７】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２８】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のために被包シート５によって囲繞するのが望ましい。前記被包シート５としては、クレープ紙、親水性の不織布などを用いることができる。
【００２９】
前記吸収体４及び／又は後述の吸収体中高部６には、合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３０】
前記吸収体４の使用面側には、幅方向中央部にナプキン長手方向に細長く、長手方向に延び肌当接面側に隆起する吸収体中高部６を形成することができる。この吸収体中高部６は、幅方向中央部に、装着者の排血口部Ｈを含むとともに後述のＹ字状溝２３に対応する部分を含む股間部６Ａと、この股間部６Ａの後端から連続する後方部６Ｂとに亘って細長く形成されている。前記吸収体中高部６のうち、股間部６Ａは、吸収量や排血口への密着を維持するために所定の高さで設けることが望ましいが、後方部６Ｂは、後述のエンボスによる変形の妨げとならないよう、前記股間部６Ａより薄くする又は無くすことが好ましい。前記吸収体中高部６の厚みは、股間部６Ａが３〜２０mm、好ましくは５〜１５mmであり、後方部６Ｂが０〜１０mm、好ましくは０〜３mmである。また、前記後方部６Ｂの吸収体中高部６を薄くした又は無くしたことにより装着者に不安を感じさせないよう、図３に示されるように、この後方部６Ｂの肌当接面側に嵩高のセカンドシート６ａを配設することができる。このセカンドシート６ａは、吸収体４、６の変形に影響を与えない程度にクッション性の高い素材を用いることが好ましい。また、前記吸収体中高部６は、前方部６Ａより後方部６Ｂが幅狭に形成され、前方部６Ａと後方部６Ｂとの境界では、後方に向けて幅及び／又は厚みが漸次縮小するように形成されている。この幅及び／又は厚みが漸次縮小する境界範囲は、前側の開始位置が後段で詳述するＹ字状溝２３の交点Ｃに対応する部分より若干後側とし、後側の終了位置が後段で詳述するＹ字状溝２３の後方溝２５の後端に対応する部分より若干後側とすることが好ましい。これにより、股間部６Ａと後方部６Ｂとの境界部分のフィット性が向上するようになる。
【００３１】
一方、前記透液性トップシート３の幅寸法は、図示例では、図２および図３の横断面図に示されるように、吸収体４の幅よりも若干長めとされ、吸収体４、６を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３２】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層８…，９…を備え、ショーツに対する装着時に、前記ウイング状フラップＷ、Ｗを折返し線ＲＬ位置にて反対側に折り返し、ショーツのクロッチ部分に巻き付けて止着するようになっている。
【００３３】
一方、前記サイド不織布７の内方側部分はほぼ二重に折り返されるとともに、この二重シート内部に、その高さ方向中間部に両端または長手方向の適宜の位置が固定された糸状弾性伸縮部材が配設され、表面側に起立する立体ギャザーＢＳ、ＢＳが形成されている。具体的には、図２及び図３に示されるように、起立状態で、吸収体４の側縁部又はその近傍から起立する側面起立部７ａと、この側面起立部７ａの先端から連続して形成されるとともに、ナプキン１の表面に対して略水平又は中心側に傾斜して形成される所定幅の肌当接面部７ｂとを有し、前記側面起立部７ａが前記肌当接面部７ｂの外方側端縁より外側に位置するようになっている。前記側面起立部７ａ及び肌当接面部７ｂには、それぞれ、生理用ナプキン１の長手方向に沿って、１又は複数本の、図示例では各３本づつ糸状弾性伸縮部材１０…、１１…が配設されている。
【００３４】
〔エンボス等の構造〕
次に、非肌当接面側に形成されるエンボス及び吸収体を欠損させた吸収体欠損部並びに肌当接面側に形成されるエンボスの構造について、以下に説明する。
《非肌当接面側に形成されるエンボス及び吸収体欠損部》
本生理用ナプキン１においては、図１〜図３に示されるように、前記吸収体４の非肌当接面側に前記生理用ナプキン１の長手方向に沿って断続的な凹状溝２０、２０…が形成されている。すなわち、本生理用ナプキン１では、凹状溝を連続的に形成するのではなく、比較的短い直線状の凹状エンボスと、エンボス無加工部分とが交互に列を成すような断続的な凹状溝２０、２０を形成することにより、前記凹状溝２０，２０に沿うナプキン長手方向軸を可撓軸とする横断方向の変形性能を確保するものである。なお、前記凹状溝２０は、図示例では前後に２箇所形成されているが、３箇所以上形成することもできる。
【００３５】
また、前記凹状溝２０、２０の周辺に位置する吸収体４の非肌当接面側に前記生理用ナプキン１の長手方向に間隔を空けて横長の周辺エンボス２１、２１…が複数形成されている。前記周辺エンボス２１を形成することにより、凹状溝２０の周辺、即ち生理用ナプキン１の後方部の幅方向中央部を除く吸収体４にナプキン横断面方向（ナプキン幅方向）の曲げに対するコシが付与され、凹状溝２０近傍の吸収体４とその周辺の吸収体４との間にナプキン横断面方向の剛性差が生じ、幅方向中央部分の吸収体４のみを臀部の谷間に沿って変形することができるようになる。
【００３６】
さらに、本生理用ナプキン１においては、少なくとも前記凹状溝２０、２０間、即ち前記凹状溝２０の無加工部分に吸収体４を欠損させた吸収体欠損部２２が形成されている。図示例では、凹状溝２０、２０間に加えて、後段で詳述するＹ字状溝２３と凹状溝２０との間にも設けられている。上述のように凹状溝２０、２０の形成列を可撓軸として幅方向中央部を隆起させた上で、この隆起部分を臀部の前後方向の丸みに沿って湾曲させた場合において、前記吸収体欠損部２２で吸収体４の圧縮方向や引張方向の変形が吸収され、肌当接面側に幅方向のシワ入りが生じ難くなり、臀部の細い谷間の奥にまで良好に密着できるようになる。
【００３７】
以上に説明した通り、吸収体４の非肌当接面側に形成される凹状溝２０、周辺エンボス２１及び吸収体欠損部２２により、生理用ナプキン１の後方部の幅方向中央部がナプキン長手方向に沿って隆起しやすくなり、且つこの隆起部分が臀部の前後方向の丸みに沿って湾曲しやすくなるため、臀部の谷間への密着性が向上し、体液の後漏れが防止できる。
【００３８】
一方、前記吸収体４の非肌当接面側には、排血口部Ｈより後方の幅方向中央部の交点Ｃから斜め前方の両側に向けて形成された左右一対の前方溝２４、２４と、前記交点Ｃから生理用ナプキン１の長手方向に沿う後方に向けて形成された後方溝２５とから成るＹ字状溝２３が形成されている。このＹ字状溝２３が形成されることにより、このＹ字状溝２３が他の部分よりも薄肉化され、剛性（断面二次モーメント）が低下するため、両側からの脚の圧力が作用したときに、このＹ字状溝２３を可撓軸として前記交点Ｃを頂点とする三角錐状の隆起部が形成される。この三角錐状の隆起部のうち、前記前方溝２４、２４による斜め前方の両側に延びるラインは、図４に示されるように、排血口部Ｈの後方部分から臀部の谷間の始まり部分にかけての会陰部に形成される臀部の谷間の始まり部分を基点として前方の両側に向けて延びる身体のラインＬａ、Ｌａにフィットする。また、三角錐状の隆起部のうち、後方溝２５による後方に延びるラインは、臀部の谷間の始まり部分から後方の臀部の谷間のラインＬｂにフィットする。このため、Ｙ字状溝２３によって形成された三角錐状の隆起部が排血口部Ｈより後方の会陰部から臀部の谷間にかけての身体の形状に極めて良好にフィットし、体液の後方への伝い漏れが防止できるようになる。
【００３９】
上記エンボス等の構造についてさらに詳しく説明すると、図示例のように、生理用ナプキン１の少なくとも後方中央部分に、ナプキン長手方向に延びるとともに、肌当接面側に隆起する吸収体中高部６が形成される場合、前記凹状溝２０は、前記吸収体中高部６に対応する吸収体４の非肌当接面側に形成され、前記周辺エンボス２１は、前記吸収体中高部６の周辺に位置する吸収体４に複数形成され、且つ前記吸収体欠損部２２は、前記吸収体中高部６に対応する吸収体４の少なくとも前記凹状溝２０、２０間に形成されている。さらに、前記Ｙ字状溝２３は、前記吸収体中高部６及びその近傍に対応する吸収体４の非肌当接面側に形成されている。
【００４０】
前記凹状溝２０の深さは、吸収体４の厚みに対して３０〜９５％、好ましくは５０〜９０％の深さで形成するのが望ましい。凹状溝２０の深さが３０％未満の場合は、横断方向の変形性能はもとより長手方向の変形性能を確保することができない。前記凹状溝２０の深さが９５％を超える場合には、凹状溝２０の剛性が高くなりすぎ、臀部の前後方向に沿って湾曲しにくくなる。
【００４１】
前記凹状溝２０の長さは、５mm〜３０mmが好ましく、１０mm〜２０mmがより好ましい。凹状溝２０の長さは一定でなくてもよく、図示例では、前側より後側の凹状溝２０を長く形成してある。
【００４２】
なお、前記凹状溝２０は、吸収体４単独、又は被包シート５で囲繞された吸収体４の段階で付与するのが望ましい。
【００４３】
前記周辺エンボス２１は、図示例では、装着者の臀部に対応する領域に後段で詳述する左右一対の後方部エンボス３１、３１より外側及び後段で詳述する後端デザインエンボス３６より外側の範囲に施されている。前記周辺エンボス２１は、横長のエンボス溝が、生理用ナプキン１の長手方向に間隔を空けるとともに、幅方向に間隔を空けて、平面視千鳥状に配列されている。
【００４４】
前記周辺エンボス２１の深さは、吸収体４の厚みに対して２０〜９５％、好ましくは３０〜９０％の深さで形成するのが望ましい。これにより、中央部分と周辺部との間で幅方向の変形に対して剛性差をつけて確実に中央部分を変形させることができるようになる。前記周辺エンボス２１の長さは、５mm〜２０mm、好ましくは１０mm〜１５mmである。
【００４５】
前記吸収体欠損部２２は、生理用ナプキン１の幅方向に１０mm〜２０mm、長手方向に５mm〜１５mmの範囲内に形成されるもので、図５に示されるように、(A)方形状、(B)菱形形状、(C)、(D)くさび形状の他、三角形状などのいずれかの形状で吸収体を欠損させたものである。また、その断面形状は、吸収体の厚み方向に同一形状としても良いが、図６に示されるように、吸収体４の厚み方向に形状を変化させた立体的形状としても良い。
【００４６】
前記Ｙ字状溝２３の前方溝２４、２４同士の成す角度αは、成人女性の会陰部に形成される身体のラインＬａ、Ｌａの角度がほぼ７０°以上の割合が高いため、この身体のラインに適合させるため、７０°以上、１８０°未満とすることが好ましく、９０°以上１５０°未満がより好ましい。７０°以上とすることにより、両側からの脚圧がかかっとときに、Ｙ字状溝２３を可撓軸とする吸収体の隆起効果が向上する。
【００４７】
前記Ｙ字状溝２３の深さは、前記凹状溝２０と同様に、吸収体４の厚みに対して３０〜９５％、好ましくは５０〜９０％の深さで形成するのが望ましい。
【００４８】
また前記Ｙ字状溝２３の交点Ｃは、膣口から後方側の肛門付近にかけての会陰部へのフィット性を向上させるため、少なくとも生理用ナプキン１の幅方向中央部で、且つ排血口部Ｈの中心から生理用ナプキン１の後方に４０mm〜６０mmの間に設定される。
【００４９】
前記前方溝２４及び後方溝２５は、前記交点Ｃからそれぞれ２０mm〜４０mmの長さで形成され、前方溝２４と後方溝２５の長さは同等であることが好ましいが、異なる長さで形成することもできる。
【００５０】
また、前記Ｙ字状溝２３の前側であって、排血口部Ｈに対応する生理用ナプキン１の幅方向中央部の吸収体４の非肌当接面側には、生理用ナプキン１の長手方向に沿って線状エンボス２６を形成することが好ましい。この線状エンボス２６が形成されることにより、該線状エンボス２６を可撓軸として吸収体４の幅方向中央部を長手方向に沿って表面側に隆起するようになり、生理用ナプキン１の表面を装着者の排血口部により確実に密着させることができる。
【００５１】
生理用ナプキン１の前端部には、生理用ナプキン１の長手方向に間隔を空けて横長の前端周辺エンボス２７、２７…が複数形成されている。これは、前端部のナプキン幅方向に対するコシを向上させ、前端部のシワ入りを防止するためのものである。
【００５２】
《肌当接面側に形成されるエンボス》
本生理用ナプキン１では、図１に示されるように、吸収体４の肌当接面側に、装着者の股間部に対応する領域に生理用ナプキン１の略長手方向に沿って左右一対の股間部エンボス３０、３０が形成されるとともに、装着者の臀部に対応する領域に左右一対の後方部エンボス３１、３１が形成され、且つ前記前記股間部エンボス３０と後方部エンボス３１との中間領域に、前記エンボス３０、３１と間を開けて左右一対の中間部エンボス３２が形成されている。
【００５３】
また、前記股間部エンボス３０の前側（図示例のように吸収体中高部６が設けられる場合には、この吸収体中高部６の前端より前側）には、生理用ナプキン１の幅方向中央部に略傘形状の前端傘状エンボス３３が形成されるとともに、さらにその前側の領域を囲むように前端デザインエンボス３４が形成されている。一方、前記後方部エンボス３１の後部（図示例のように吸収体中高部６が設けられる場合には、この吸収体中高部６の後端より後側）には、生理用ナプキン１の幅方向中央部に略傘形状の後端傘状エンボス３５が形成されるとともに、その更に後側に間を開けて後端デザインエンボス３６が形成されている。
【００５４】
前記股間部エンボス３０は、排血口部Ｈを含み、後端が臀部の谷間の始まり部分にかかる範囲に、生理用ナプキン１の略長手方向に沿って左右一対で形成されている。その前端部は、若干両側に拡大するように屈曲した形状とされ、その傾斜角は前記前端デザインエンボス３４の後端部とほぼ平行する角度で形成されている。
【００５５】
また、前記股間部エンボス３０の後端部は、前記Ｙ字状溝２３と幅方向に重なり代を有する範囲において、幅方向中央部に傾斜した形状とされ、その傾斜角は、前記Ｙ字状溝２３との関係で所定の傾斜角とされている。具体的には、股間部エンボス３０の傾斜した後端部を延長した仮想線Ｓ１と、前記Ｙ字状溝２３の前方溝２４の前端と後方溝２５の後端とを結ぶ仮想線Ｓ２とがほぼ平行するように形成されている。「ほぼ平行する」とは、仮想線Ｓ１、Ｓ２のナプキン長手方向線に対する傾斜角が完全に一致する場合の他、この傾斜角が±５°の角度差の範囲内で形成されている場合も含む。
【００５６】
前記股間部エンボス３０の後端部を上記傾斜角とすることにより、この股間部エンボス３０の後端部によって、両側からの脚圧の作用方向を前方溝２４の前端と後方溝２５の後端とを結ぶ仮想線Ｓ２と直交する方向に変換することができ、両側からの脚圧によってＹ字状溝２３の前方溝２４と後方溝２５とで囲まれた領域を隆起させやすくすることができる。
【００５７】
前記後方部エンボス３１は、臀部の谷間に対応する範囲に、生理用ナプキン１の略長手方向に沿って左右一対で形成され、後方部の吸収体の幅方向中央部を臀部の谷間に沿ってきっちりと隆起させるためのものである。後方部エンボス３１は、略前側半分が外側に膨出する曲線によって形成され、残りの後側が内側に膨出する曲線によって形成されている。さらにその後端部は外側に向かって半円弧状に屈曲した形状で形成されている。
【００５８】
また、前記後方部エンボス３１には、前記吸収体欠損部２２に対応する位置に、後方部エンボス３１からナプキン幅方向中央側へ延びるフィットエンボス３１ａ、３１ａ…が形成されている。これにより、フィットエンボス３１ａが基点となって確実に吸収体欠損部２２の形成位置で臀部の前後方向の丸みに沿って湾曲させることができるようになる。
【００５９】
前記中間エンボス３２は、前記仮想線Ｓ２と直交する方向に対し、前記股間部エンボス３０の後端部と前端の一部が重なり代を有するように形成されている。これにより、前記仮想線Ｓ２と直交する方向に重なり代を有する股間部エンボス３０と中間エンボス３２との二重エンボス部分の吸収体４の剛性（コシ）が増すため、両側からの脚圧をＹ字状溝２３の前方溝２４と後方溝２５とで囲まれた領域を隆起させる力に変換しやすくなる。
【符号の説明】
【００６０】
１…生理用ナプキン、２…不透液性バックシート、３…透液性トップシート、４…吸収体、５…被包シート、６…吸収体中高部、７…サイド不織布、２０…凹状溝、２１…周辺エンボス、２２…吸収体欠損部、２３…Ｙ字状溝、２４…前方溝、２５…後方溝、２６…線状エンボス、２７…前端周辺エンボス、３０…股間部エンボス、３１…後方部エンボス、３２…中間エンボス、Ｃ…交点
【図１】
0005623828.tif 000002
【図２】
0005623828.tif 000003
【図３】
0005623828.tif 000004
【図４】
0005623828.tif 000005
【図５】
0005623828.tif 000006
【図６】
0005623828.tif 000007